(57)【要約】【課題】ダイバーシチハンドオーバーを行う無線通信端末装置で、効率的な処理を行う。【解決手段】パス品質検出手段４が受信信号のパス毎の受信品質を検出し、ブランチ品質検出手段５がブランチ毎の受信品質を検出し、通信チャネル品質検出手段６が通信チャネルの受信品質を検出し、状態判定手段１３が通信チャネルの受信品質と所定の基準品質との関係及びブランチ毎の受信品質の差分に基づいて状態を判定し、制御要求手段１４が判定結果に基づいて制御要求を発し、探索手段２１がゾーンに関する探索を行い、ゾーン品質検出手段２２がゾーンの受信品質を検出し、報知情報取得手段２３が報知情報を取得し、局リスト管理手段１５がゾーン品質の検出結果、報知情報、及び制御要求に基づいてダイバーシチハンドオーバーに関する情報を有する局のリストを管理する。【選択図】  図１
2009010812.tif 000002
【特許請求の範囲】
【請求項１】
ダイバーシチハンドオーバーを行う無線通信端末装置において、
受信信号のパス毎の受信品質を検出するパス品質検出手段と、
前記パス品質検出手段による検出結果に基づいて、全ての受信パスの中から同一のゾーンからのパスを選択して合成し、当該合成後の受信品質をブランチ毎の受信品質として検出するブランチ品質検出手段と、
前記パス品質検出手段による検出結果に基づいて、全ての受信パスの合成後の受信品質を通信チャネルの受信品質として検出する通信チャネル品質検出手段と、
前記通信チャネル品質検出手段により検出された通信チャネルの受信品質と所定の基準品質との関係及び前記ブランチ品質検出手段により検出されたブランチ毎の受信品質の差分に基づいて、パワーコントロールに関する状態を判定する状態判定手段と、
前記状態判定手段による判定結果に基づいて、ダイバーシチハンドオーバーにおけるブランチに関する制御要求を発する制御要求手段と、
現在において通信中のゾーン及び周辺のゾーンに関する探索を行う探索手段と、
前記探索手段により探索されたゾーンの受信品質を検出するゾーン品質検出手段と、
前記探索手段により探索されたゾーンの報知情報を取得する報知情報取得手段と、
前記ゾーン品質検出手段による検出結果、前記報知情報取得手段により取得された報知情報、及び前記制御要求手段により発せられた制御要求に基づいて、ダイバーシチハンドオーバーに関する情報を有する局のリストを管理する局リスト管理手段と、
を備えたことを特徴とする無線通信端末装置。
【発明の詳細な説明】
【技術分野】
【０００１】
本発明は、例えば、ダイバーシチハンドオーバーを行う無線通信端末装置に関し、特に、ダイバーシチハンドオーバーに関して効率的な処理を行う無線通信端末装置に関する。
【背景技術】
【０００２】
例えば、直接拡散符号分割多元接続（ＤＳ−ＣＤＭＡ：Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ）方式を使用する移動通信システムおける無線通信端末装置では、２つ以上のセル又はセクタ（以下では、説明を簡略化するために、これらをまとめてセルと言う）と複数の通信チャネルを同時に設定し、時間的にオーバーラップして送受信を行う、いわゆるダイバーシチハンドオーバーを行うものがある。
【０００３】
図１１には、従来例に係る無線通信端末装置の構成例を示してある。
本例の無線通信端末装置は、通信チャネル逆拡散部１０１と、検波部１０２と、判定／復号化部１０３と、チャネル（ＣＨ）ＳＩＲ測定部１０４と、挿入ＴＰＣ（Ｔｒａｎｓｍｉｔ  Ｐｏｗｅｒｃｏｎｔｒｏｌ  Ｃｏｍｍａｎｄ）生成部１０５と、符号化部１０６と、フレーム生成部１０７と、変調部１０８と、拡散部１０９と、報知チャネル探索復調部１１０と、報知チャネル品質測定部１１１と、報知情報取得部１１２を備えている。
【０００４】
本例の無線通信端末装置の各処理部により行われる動作を説明する。
通信チャネル逆拡散部１０１は、受信信号（ベースバンド（ＢＢ）の受信信号）と参照用符号との相関演算を行って、受信信号を逆拡散する。
検波部１０２は、逆拡散後の信号の同期検波及び復調を行う。
判定／復号化部１０３は、復調後の受信信号を判定し、誤り訂正などの復号を行って、受信データを取り出す。
チャネルＳＩＲ測定部１０４は、受信信号の品質を測定し、それを希望波電力対干渉波電力比（ＳＩＲ：Ｓｉｇｎａｌ  ｔｏ  Ｉｎｔｅｒｆｅｒｒｅｎｃｅ  Ｒａｔｉｏ）として求める。
【０００５】
挿入ＴＰＣ生成部１０５は、前記したＳＩＲ（測定ＳＩＲ）と基準品質（ＴａｒｇｅｔＳＩＲ）を比較し、（測定ＳＩＲ＞ＴａｒｇｅｔＳＩＲ）である場合には電力のダウン（ＤＯＷＮ）を基地局装置へ通知するためのコマンドを生成し、（測定ＳＩＲ＜ＴａｒｇｅｔＳＩＲ）である場合には電力のアップ（ＵＰ）を基地局装置に通知するためのコマンドを生成する。例えば、ＴＰＣ＝１が電力アップを示し、ＴＰＣ＝０が電力ダウンを示すというように、システムの仕様として取り決めを行っておき使用する。
【０００６】
符号化部１０６は、送信データに対して誤り訂正等の符号化を行う。
フレーム生成部１０７は、符号化したデータ、挿入ＴＰＣ、同期検波用の参照信号などを時間多重化して、データフレームを生成する。
変調部１０８は、時間多重化されたデータを変調する。
拡散部１０９は、変調信号を拡散処理する。これにより、送信信号（ＢＢの送信信号）が生成される。
【０００７】
報知チャネル探索復調部１１０は、受信信号（ＢＢの受信信号）に基づいて、セルに付随するスクランブリングコードの同定を行うことによりセルを検出し、検出セルの報知チャネルの復調を行う。
報知チャネル品質測定部１１１は、探索して復調したセルの品質を測定する。この品質測定結果の情報は、主制御部へ通知される。
報知情報取得部１１２は、探索して復調したセルから送信される報知情報（例えば、周辺局情報を含む）を取得する。この報知情報は、主制御部へ通知される。
【０００８】
本例の無線通信端末装置において行われる動作の流れを示す。
まず、ＢＢ受信信号は、通信チャネル逆拡散部１０１により逆拡散される。逆拡散後の受信シンボルは、チャネルＳＩＲ測定部１０４と検波部１０２に入力される。検波部１０２は、伝送路推定、同期検波等の復調処理を行う。復調後の信号は、判定／復号化部１０３により「０」と「１」のバイナリ判定及び復号処理が行われ、受信データが得られる。
【０００９】
一方、チャネルＳＩＲ測定部１０４は、逆拡散後の受信シンボルから、送信電力制御周期単位の瞬時の受信ＳＩＲを求めて出力する。求められた瞬時ＳＩＲ（測定ＳＩＲ）は、挿入ＴＰＣ生成部１０５によりＴａｒｇｅｔＳＩＲと比較されて、測定ＳＩＲ＞ＴａｒｇｅｔＳＩＲならば電力ダウン（ＴＰＣ＝０）のコマンド（挿入ＴＰＣ）を生成し、測定ＳＩＲ＜ＴａｒｇｅｔＳＩＲならば電力アップ（ＴＰＣ＝１）のコマンド（挿入ＴＰＣ）を生成する。
生成された挿入ＴＰＣは、符号化部１０６により符号化された送信データと同期検波用の参照信号と共に、フレーム生成部１０７により時間多重される。多重化後の送信データは、変調部１０８により変調処理され、拡散部１０９により拡散処理が施されて、ＢＢ送信信号として出力される。
【００１０】
また、ＢＢ受信信号は、報知チャネル探索復調部１１０にも入力される。従来例に係る報知チャネル探索復調部１１０、報知チャネル品質測定部１１１、報知情報取得部１１２は、以下の動作を、通信チャネル送受信動作と並行して、自立的に行っている。
報知チャネル探索復調部１１０は、セルに付随するスクランブリングコードの同定を行う。そして、同定されたスクランブリングコードを用いて、逆拡散及び復調を行うことにより、報知チャネルのデータシンボルを得ることができる。報知チャネルのデータシンボルは、報知チャネル品質測定部１１１と報知情報取得部１１２に入力される。
【００１１】
報知チャネル品質測定部１１１は、報知チャネルのＲＳＣＰ（Ｒｅｃｅｉｖｅｄ  Ｓｉｇｎａｌ  Ｃｏｄｅ  Ｐｏｗｅｒ）、報知チャネルのチップ（ｃｈｉｐ）当たりの希望波信号電力対帯域内電力比（Ｅｃ／Ｎｏ）、報知チャネルの基地局装置での送信電力値と無線通信端末装置側での受信電力値との差分であるパスロス、などの測定を行い、その結果を品質測定結果として出力する。
報知チャネル情報取得部１１２は、システムで定義されたデータマッピングでマッピングされている、例えば基地局装置での報知チャネルの送信電力値、周辺セルの情報などの情報が、報知情報として取得される。
【００１２】
本例の無線通信端末装置は、例えば、一番パスロスが少ないセルを自分の在圏セルと認識し、在圏セルの基地局装置と通信チャネルを設定することにより通信を行う。この時、すなわちあるセルにおいて通信中に、同時に他のセルとの通信を同時に行う技術がダイバーシチハンドオーバーである。
【００１３】
従来例に係るダイバーシチハンドオーバーの動作の概要を説明する。
上述のように、図１１に示される本例の無線通信端末装置における通信チャネルの送受信動作と、報知チャネルの受信動作は、独立、並行に行われている。つまり、在圏セルの基地局装置との通信中に在圏セル以外のセルの探索復調動作が並行して行われている。
【００１４】
例えば、現在において、在圏セル以外に通信可能なセルを検出すると、品質測定結果と取得した報知情報を上位の主制御部へ出力する。主制御部は、これを受けて、ネットワークに対して現在において在圏セルの基地局装置との間に設定している通信チャネルで通信している呼に対して、新たに検出したセルの基地局装置との間にも通信チャネルを設定して、２セル同時に通信できるような状態を要求する。これをブランチ追加要求とする。ここで、ブランチとは、「ダイバーシチハンドオーバー状態である呼を構成する複数セルのうちの一つのセルと設定中の通信チャネル」と同義である。
ブランチ追加要求を受けてネットワーク側は、追加要求を受けたセルの基地局装置に対して設定動作を行うと同時に、当該無線通信端末装置に対して追加ブランチの設定を許可する。無線通信端末装置側の主制御部は、処理部１０１〜１０９の各部に対して、追加ブランチの設定を行い、いわゆるダイバーシチハンドオーバーでの通信となる。
【００１５】
また、主制御部は、探索復調動作からの品質測定結果により、例えば、現在通信中の複数のブランチのうち一つ以上のブランチと通信が継続できない状態を認識すると、ネットワークに対して通信している呼に対して、通信が継続できない状態にあるブランチとの間に設定している通信チャネルを切断する状態を要求する。これをブランチ削除要求とする。
ブランチ削除要求を受けて、ネットワーク側は、削除要求を受けたセルの基地局装置に対して切断動作を行うと同時に、当該無線通信端末装置に対して追加ブランチの削除を許可する。無線通信端末装置側の主制御部は、処理部１０１〜１０９の各部に対して削除ブランチの切断を行う。
【００１６】
【特許文献１】特開２０００−２４４３８７号公報
【発明の開示】
【発明が解決しようとする課題】
【００１７】
上述のように、図１１に示される従来例に係る無線通信端末装置では、探索復調動作の品質測定結果及び取得した報知情報により、通信中の呼に対して、通信が終了し呼が切断されるまで、ブランチの追加や削除を行いつつ継続動作する。
しかしながら、従来例に係る無線通信端末装置でのブランチの追加や削除に関する動作について、次のような問題があった。
【００１８】
従来例に係る無線通信端末装置でのブランチ追加動作では、上述したように、在圏セル以外に通信可能なセルを検出すると、新たに検出したセルの基地局装置との間にも通信チャネルを設定して、２セル同時に通信できるような状態、すなわちブランチ追加を要求する。しかしながら、追加ブランチのセルの基地局装置の状況によっては、当該無線通信端末装置に割り当てる電力が十分にはなく、当該無線通信端末装置からの電力制御コマンドに応じた制御を行うことができない場合がある。
【００１９】
この場合に考えられる基地局装置の動作としては、当該呼に対する電力割り当ての上限値或いは下限値に固定された状態になっている、ということがある。例えば、ダイバーシチハンドオーバー時に、当該無線通信端末装置が、品質維持のために、基地局電力を増加させるようなコマンドを両ブランチのセルの基地局装置へ送った場合に、追加ブランチの基地局装置では既に上限値に達していて、これ以上電力を供給できないとすると、結果的には上限値に達していない既存ブランチの基地局装置のみで品質を維持するような状態となり、ブランチ追加しても上限値に達している基地局装置からの信号は品質に寄与しないこととなる。或いは、既存ブランチの基地局装置が下限値で送信しているにも関わらず、当該無線通信端末装置との通信品質が必要以上にあるような場合に、ブランチを追加すると、基地局電力を減少させるようなコマンドを両ブランチの基地局装置へ送ることになり、追加ブランチの電力は下限値に達してしまい、やはり追加ブランチの品質には寄与しない。
【００２０】
以上説明したように、従来例に係る無線通信端末装置では、現在の呼の品質や、在圏セル或いは検出セルの基地局装置の電力状況に関わらずに、在圏セル以外に通信可能なセルを検出すると、新たに検出したセルの基地局装置との間にも通信チャネルを設定して、２セル同時に通信できるような状態、すなわちブランチ追加を要求するため、実質上呼の品質に寄与しないようなダイバーシチハンドオーバー状態を要求してしまうという問題があった。これは、実質必要のない基地局装置の物理的なチャネル資源を無駄に使ってしまうことにつながり、また、下限値とはいえ送信信号を出力している場合や、品質寄与しない上限値の送信信号を出力している場合には、無駄な無線資源を使ってしまうことにもつながる、という問題があった。
【００２１】
本発明は、上記のような従来の課題を解決するために為されたもので、ダイバーシチハンドオーバーに関して効率的な処理を行い、例えば、実質の品質に寄与しないようなダイバーシチハンドオーバーのための追加ブランチ要求の頻度や、基地局装置の物理チャネル資源やシステムの無線資源の無駄な使用を軽減することができる無線通信端末装置を提供することを目的とする。
【課題を解決するための手段】
【００２２】
上記目的を達成するため、本発明では、ダイバーシチハンドオーバーを行う無線通信端末装置において、次のような構成とした。
すなわち、パス品質検出手段が、受信信号のパス毎の受信品質を検出する。ブランチ品質検出手段が、前記パス品質検出手段による検出結果に基づいて、全ての受信パスの中から同一のゾーンからのパスを選択して合成し、当該合成後の受信品質をブランチ毎の受信品質として検出する。通信チャネル品質検出手段が、前記パス品質検出手段による検出結果に基づいて、全ての受信パスの合成後の受信品質を通信チャネルの受信品質として検出する。状態判定手段が、前記通信チャネル品質検出手段により検出された通信チャネルの受信品質と所定の基準品質との関係及び前記ブランチ品質検出手段により検出されたブランチ毎の受信品質の差分に基づいて、パワーコントロールに関する状態を判定する。制御要求手段が、前記状態判定手段による判定結果に基づいて、ダイバーシチハンドオーバーにおけるブランチに関する制御要求を発する。探索手段が、現在において通信中のゾーン及び周辺のゾーンに関する探索を行う。ゾーン品質検出手段が、前記探索手段により探索されたゾーンの受信品質を検出する。報知情報取得手段が、前記探索手段により探索されたゾーンの報知情報を取得する。局リスト管理手段が、前記ゾーン品質検出手段による検出結果、前記報知情報取得手段により取得された報知情報、及び前記制御要求手段により発せられた制御要求に基づいて、ダイバーシチハンドオーバーに関する情報を有する局のリストを管理する。
【００２３】
従って、ダイバーシチハンドオーバーに関して効率的な処理を行うことができ、例えば、実質の品質に寄与しないようなダイバーシチハンドオーバーのための追加ブランチ要求の頻度や、基地局装置の物理チャネル資源やシステムの無線資源の無駄な使用を軽減することができる。
【００２４】
ここで、ゾーンとしては、例えば、セルやセクタが用いられ、セルは１つの基地局装置によりカバーされる領域であり、セクタは指向性アンテナが用いられる場合に各指向性アンテナによりカバーされる領域である。無線通信端末装置は、基地局装置との間で、各セル毎に又は各セクタ毎に、無線通信する。
また、受信品質としては、種々なものが用いられてもよく、例えば、ＳＩＲなどを用いることができる。
【００２５】
また、受信品質に関する所定の基準品質としては、種々な値が用いられてもよい。
また、通信チャネルの受信品質と所定の基準品質との関係としては、例えば、通信チャネルの受信品質が所定の基準品質に収束したか否かという関係を用いることができる。一例として、通信チャネルの受信品質と所定の基準品質との差の絶対値が所定の閾値以下（又は、未満）である場合に収束したと判定し、それ以外の場合に収束していない（非収束である）と判定することができる。
また、通信チャネルの受信品質と所定の基準品質との大小関係を用いることもできる。
【００２６】
また、ブランチ毎の受信品質の差分としては、例えば、異なるブランチの間での受信品質の差分を用いることができる。また、この差分について、例えば、この差分が所定の閾値以上であるか否か（又は、所定の閾値を超えるか否か）という判定を行うことができる。
また、パワーコントロールに関する状態としては、種々な状態が用いられてもよく、例えば、図３に示されるような状態を用いることができる。
また、ダイバーシチハンドオーバーにおけるブランチに関する制御要求としては、種々なものが用いられてもよく、例えば、図４に示されるような要求を用いることができる。
【００２７】
また、現在において通信中のゾーン及び周辺のゾーンに関する探索としては、例えば、報知チャネルの探索を用いることができる。
また、探索されたゾーンの受信品質としては、例えば、報知チャネルの受信品質を用いることができる。
また、報知情報としては、種々な情報が用いられてもよく、例えば、周辺局の情報が含まれる。
【００２８】
また、ダイバーシチハンドオーバーに関する情報を有する局のリストとしては、種々なものが用いられてもよく、例えば、図５〜図１０に示されるような局リストを用いることができる。
また、局のリストを管理する態様としては、例えば、メモリに記憶される局のリストの情報を作成や変更などする態様を用いることができる。
【００２９】
以下で、本発明に係る構成例を示す。
（１）一構成例として、本発明では、２つ以上のセルと複数の通信チャネルを同時に設定し、時間的にオーバーラップして送受信を行う、いわゆるダイバーシチハンドオーバーを行う直接拡散符号分割多元接続（ＤＳ−ＣＤＭＡ）方式の移動通信システムの無線通信端末装置において、送信データを符号化する手段と、前記符号化したデータと電力制御コマンドと同期検波用の参照信号などを時間多重化する手段と、時間多重化データを変調する手段と、変調信号を拡散する手段と、受信信号を逆拡散する手段と、逆拡散した信号の同期検波等の復調をする手段と、逆拡散した信号のパス毎の受信品質を測定する手段と、当該無線通信端末装置における全受信パスの中から同一のセルからのパスを選択して合成し、合成後の受信品質をブランチ毎の受信品質として測定する手段と、当該無線通信端末装置における全受信パスの合成後の受信品質を通信チャネル受信品質として測定する手段と、基準品質（ＴａｒｇｅｔＳＩＲ）と受信品質との差を比較する手段と、その比較結果に応じて、基地局装置に対して電力制御コマンドを発行する手段と、基準品質と通信チャネル受信品質及びブランチ毎の受信品質の差分に基づいてパワーコントロールの状態を判定する手段と、パワーコントロール状態判定結果から、後述する局リスト管理の手段に対して局リスト用ブランチ制御要求を行うダイバーシチハンドオーバー状態判定の手段と、復調信号の判定及び復号化を行って受信データを取得する手段と、外部からの指示により、現在通信中のセル及び周辺のセルの報知チャネルの探索復調処理を行う手段と、探索したセルの報知チャネルの受信品質を測定する手段と、探索したセルの報知チャネルの報知情報を取得する手段と、報知チャネルの受信品質、報知情報、及びダイバーシチハンドオーバー状態判定の結果である局リスト用ブランチ制御要求などに基づいて局リストを作成して管理する局リスト管理の手段と、を備えた。
【００３０】
（２）一構成例として、前記したパワーコントロール状態判定の手段は、基準品質と通信チャネル受信品質との差を複数の段階に分けた受信品質窓を設け、前記窓に対して同一窓内で同一の値となる差分値を定義し、その差分値を平均化した結果から受信品質の基準品質に対する収束度を判定し、また、ブランチ毎の受信品質の差分を求めてその大小を判定する。
【００３１】
（３）一構成例として、前記したダイバーシチハンドオーバー状態判定の手段は、ダイバーシチハンドオーバー中に、前記したパワーコントロール状態判定の手段における判定結果に基づいて、局リスト管理の手段に対して局リスト用ブランチ制御要求を行う。具体例として、基準品質に対して通信チャネル受信品質が収束している状態で且つそれぞれのブランチ毎の受信品質の差分が大きい場合には、ブランチ毎の受信品質がより小さい方のブランチの削除要求を前記した局リスト管理の手段に対して行う。また、基準品質に対して通信チャネル受信品質が収束していない状態で且つ基準品質よりも十分に通信チャネル受信品質が良い場合には、ブランチの追加を禁止する要求を前記した局リスト管理の手段に対して行う。
【００３２】
（４）一構成例として、前記した局リスト管理の手段は、前記したダイバーシチハンドオーバー状態判定の手段における局リスト用ブランチ制御要求と、報知チャネルの受信品質、報知情報、などから局リストを作成して管理する。具体例として、前記した局リスト用ブランチ削除要求を受けた場合には、これを受けて、局リスト順位の変化があるまで、該当するブランチを追加候補から削除する。また、前記した局リスト用ブランチ追加禁止要求を受けた場合には、これを受けて、ブランチ追加禁止状態を記憶し、上位制御機能に対して局リスト順位の変化があるまで全てのブランチの追加要求を行わない。
【発明の効果】
【００３３】
以上説明したように、本発明に係る無線通信端末装置によると、通信チャネルの受信品質と所定の基準品質との関係及びブランチ毎の受信品質の差分に基づいてパワーコントロールに関する状態を判定し、その判定結果に基づくダイバーシチハンドオーバーにおけるブランチに関する制御要求及びゾーンの受信品質や報知情報に基づいてダイバーシチハンドオーバーに関する情報を有する局のリストを管理するようにしたため、ダイバーシチハンドオーバーに関して効率的な処理を行うことができ、例えば、実質の品質に寄与しないようなダイバーシチハンドオーバーのための追加ブランチ要求の頻度や、基地局装置の物理チャネル資源やシステムの無線資源の無駄な使用を軽減することができる。
【発明を実施するための最良の形態】
【００３４】
本発明に係る実施例を図面を参照して説明する。
［１］全体的な構成及び動作について説明する。
図１には、本発明の一実施例に係る無線通信端末装置の構成例を示してある。
本例の無線通信端末装置は、通信チャネル逆拡散部１と、検波部２と、判定／復号化部３と、フィンガＳＩＲ測定部４と、ブランチ（Ｂｒ）ＳＩＲ測定部５と、チャネル（ＣＨ）ＳＩＲ測定部６と、挿入ＴＰＣ（Ｔｒａｎｓｍｉｔ  Ｐｏｗｅｒｃｏｎｔｒｏｌ  Ｃｏｍｍａｎｄ）生成部７と、符号化部８と、フレーム生成部９と、変調部１０と、拡散部１１と、報知チャネル受信部１２と、パワーコントロール（ＰｏｗｅｒＣｏｎｔｒｏｌ）状態判定部１３と、ダイバーシチハンドオーバー（ＤＨＯ）状態判定部１４と、局リスト管理部１５を備えている。
報知チャネル受信部１２には、報知チャネル探索復調部２１と、報知チャネル品質測定部２２と、報知情報取得部２３を備えている。
【００３５】
本例の無線通信端末装置の各処理部により行われる動作を説明する。
通信チャネル逆拡散部１は、ベースバンド（ＢＢ）の受信信号を入力し、受信信号と参照用符号との相関演算を行って逆拡散する。
検波部２は、逆拡散後の信号の同期検波、復調を行う。
判定／復号化部３は、復調後の受信信号を判定し、誤り訂正などの復号を行って、受信データを取り出す。
【００３６】
フィンガＳＩＲ測定部４は、フィンガに割り当てられたパス毎の受信信号の品質を測定し、その結果を希望波電力対干渉波電力比（ＳＩＲ）として求める。
ブランチＳＩＲ測定部５は、フィンガＳＩＲ測定部４からの出力であるパス毎のＳＩＲの中から同一のセルからのものを選択して合成し、合成後のＳＩＲをブランチＳＩＲとして測定する。
チャネルＳＩＲ測定部６は、フィンガＳＩＲ測定部４からの出力であるパス毎のＳＩＲを、異なったブランチに属するものも含めて合成し、合成後のＳＩＲをチャネルＳＩＲとして測定する。
【００３７】
挿入ＴＰＣ生成部７は、前記したチャネルＳＩＲと基準品質（ＴａｒｇｅｔＳＩＲ）とを比較し、ＴＰＣを基地局装置へ通知するためのコマンドを生成する。
符号化部８は、送信データに対して誤り訂正等の符号化を行う。
フレーム生成部９は、符号化されたデータ、挿入ＴＰＣ、同期検波用の参照信号などを時間多重化して、データフレームを生成する。
変調部１０は、時間多重化されたデータを変調する。
拡散部１１は、変調信号を拡散処理する。これにより、ＢＢの送信信号が得られる。
【００３８】
報知チャネル受信部１２では、外部からの指示により、各セルに付随する報知チャネルを受信する。報知チャネル受信部１２には、局リスト管理部１５から探索指示が入力される。
報知チャネル探索復調部２１は、ＢＢの受信信号を入力し、セルに付随するスクランブリングコードの同定を行うことによりセルを検出し、検出セルの報知チャネルの復調を行う。
報知チャネル品質測定部２２は、報知チャネル探索復調部２１により探索して復調されたセルの品質を測定する。この品質測定結果の情報は、局リスト管理部１５へ出力される。
報知情報取得部２３は、報知チャネル探索復調部２１により探索して復調されたセルから送信される報知情報（例えば、周辺局情報を含む）を取得する。この報知情報は、局リスト管理部１５へ出力される。
【００３９】
パワーコントロール状態判定部１３は、ＴａｒｇｅｔＳＩＲ、チャネルＳＩＲ、及びブランチＳＩＲの差分により、パワーコントロールの状態を判定する。
ダイバーシチハンドオーバー状態判定部１４は、パワーコントロール状態の判定結果に基づいて、局リスト管理部５に対して局リスト用ブランチ制御要求を行う。
局リスト管理部１５は、報知チャネルの受信品質、報知情報、及びダイバーシチハンドオーバー状態判定の結果である局リスト用ブランチ制御要求などから局リストを作成して、管理する。
【００４０】
本例の無線通信端末装置において行われる動作の流れを示す。
まず、ＢＢ受信信号が通信チャネル逆拡散部１により逆拡散される。逆拡散後の受信シンボルは、フィンガＳＩＲ測定部４と検波部２のそれぞれに入力される。検波部２は、伝送路推定、同期検波等の復調処理を行う。復調後の信号は、判定／復号化部３により、「０」と「１」のバイナリ判定、及び復号処理が行われて、受信データが得られる。
【００４１】
一方、フィンガＳＩＲ測定部４は、フィンガに割り当てられたパス毎の逆拡散後の受信シンボルから、送信電力制御周期単位の瞬時のフィンガＳＩＲを求めて出力する。ブランチＳＩＲ測定部５は、フィンガに割り当てられたパス毎のＳＩＲの中から同一のセルからのものを選択して合成し、合成後のＳＩＲをブランチＳＩＲとして測定して出力する。チャネルＳＩＲ測定部６は、フィンガに割り当てられたパス毎のＳＩＲを、異なったブランチに属するものも含めて合成し、合成後のＳＩＲをチャネルＳＩＲとして測定して出力する。
【００４２】
求められたチャネルＳＩＲ（測定ＳＩＲ）は、挿入ＴＰＣ生成部７によりＴａｒｇｅｔＳＩＲと比較され、測定ＳＩＲ＞ＴａｒｇｅｔＳＩＲである場合には電力ダウン（ＴＰＣ＝０）のコマンド（挿入ＴＰＣ）を生成し、測定ＳＩＲ＜ＴａｒｇｅｔＳＩＲである場合には電力アップ（ＴＰＣ＝１）のコマンド（挿入ＴＰＣ）を生成する。生成された挿入ＴＰＣは、符号化部８により符号化された送信データと同期検波用の参照信号と共に、フレーム生成部９により時間多重される。多重化後の送信データは、変調部１０により変調処理され、拡散部１１により拡散処理が施されて、ＢＢ送信信号として出力される。
【００４３】
また、ＢＢ受信信号は、報知チャネル受信部１２にも入力される。図１に示される構成例では、報知チャネル受信部１２は、局リスト管理部１５からの探索指示により、その受信動作を開始する。この探索指示としては、例えば、スクランブリングコード及びタイミングなどが未知のセルを検出するセル検出モードと、既知のスクランブリングコードを持つセルに対する報知チャネルの受信動作を指示するセル測定モードなどがある。
【００４４】
セル検出モードが指示された場合、報知チャネル受信部１２内の報知チャネル探索復調部２１が、セルに付随するスクランブリングコードの同定を行う。そして、同定されたスクランブリングコードを用いて逆拡散及び復調を行うことにより、報知チャネルのデータシンボルを得ることができる。報知チャネルのデータシンボルは、報知チャネル品質測定部２２と報知情報取得部２３に入力される。
【００４５】
報知チャネル品質測定部２２は、報知チャネルのＲＳＣＰ（Ｒｅｃｅｉｖｅｄ  Ｓｉｇｎａｌ  Ｃｏｄｅ  Ｐｏｗｅｒ）、報知チャネルのチップ（ｃｈｉｐ）当たりの希望波信号電力対帯域内電力比（Ｅｃ／Ｎｏ）、報知チャネルの基地局装置での送信電力値と無線通信端末装置側での受信電力値との差分であるパスロス、などの測定を行い、その結果を品質測定結果として出力する。
報知チャネル情報取得部２３は、システムで定義されたデータマッピングでマッピングされている、例えば報知チャネルの基地局装置での送信電力値、周辺セルの情報などの情報を、報知情報として取得する。ここで、本動作を検出できたスクランブリングコードに対応するセルの数分だけ行うという態様も可能であり、或いは、報知チャネルの品質測定結果に基づいて、その品質が上位にあるセルのみについて報知情報取得動作を行うなどの態様も可能である。
【００４６】
セル測定モードが指示された場合、測定対象のセルが指示されているため、指示されたスクランブリングコードを用いて逆拡散及び復調を行うことにより、報知チャネルのデータシンボルを得ることができる。以降の動作は、セル検出モードと同様である。本動作に関しては、一度に複数のセルの測定を指示して行うという態様も可能である。
【００４７】
［２］パワーコントロール状態判定部１３について詳しく説明する。
パワーコントロール状態判定部１３には、ＴａｒｇｅｔＳＩＲと、チャネルＳＩＲと、ブランチＳＩＲが入力される。
パワーコントロール状態判定部１３の内部には、ＴａｒｇｅｔＳＩＲとチャネルＳＩＲとの差を複数の段階に分けた受信品質窓を設ける。
【００４８】
図２には、パワーコントロール状態判定部１３での受信品質窓の一例を模式的に示してある。
例えば、ＴａｒｇｅｔＳＩＲから±２ｄＢの領域（図２中の（１）の領域）、ＴａｒｇｅｔＳＩＲから＋２ｄＢ〜＋４ｄＢの領域及び−２ｄＢ〜−４ｄＢの領域（図２中の（２）の領域）、それ以外の領域（図２中の（３）の領域）に分ける。
また、上下の領域（１）にチャネルＳＩＲがある場合には、その差分値として上下のそれぞれについて「＋１」、「−１」とする。上下の領域（２）にチャネルＳＩＲがある場合には、その差分値として上下のそれぞれについて「＋２」、「−２」とする。上下の領域（３）にチャネルＳＩＲがある場合には、その差分値として上下のそれぞれについて「＋３」、「−３」とする。
【００４９】
パワーコントロール状態判定部１３は、例えば送信電力制御周期単位毎に、この差分値を判定し、且つ、平均化を行う。平均化を行うことにより、瞬時的な伝送路変動や、測定誤差分散を平滑化することができる。
この平均化後の差分値が“０”付近である場合には、ＴａｒｇｅｔＳＩＲ付近にチャネルＳＩＲが収束していると言うことができ、＋側の偏差或いは−側の偏差が大きい場合には、チャネルＳＩＲはＴａｒｇｅｔＳＩＲに収束していない（非収束）と言うことができる。これにより、パワーコントロールの状態が収束しているか、或いは非収束であるかを判定する。
なお、平均化後の差分値が“０”付近であるか否かの判定としては、例えば、平均化後の差分値の絶対値が所定の閾値以下（又は、未満）である場合に“０”付近であると判定するような態様を用いることができる。
【００５０】
更に、パワーコントロール状態判定部１３は、収束状態である場合におけるブランチＳＩＲの差分も比較する。各ブランチのブランチＳＩＲの差分として、差分小或いは差分大を判定する。例えば、閾値を設けて、その閾値と差分との大小を比較することにより、差分大（閾値より大きい）若しくは差分小（閾値より小さい）と判定することができる。
【００５１】
以上の処理により、本例のパワーコントロール状態判定部１３は、４つの状態でパワーコントロールの状態を判定し、その結果を出力する。
図３には、その４つの状態Ａ、Ｂ、Ｃ、Ｄの定義の一例を示してある。
本例では、状態Ａは、ＴａｒｇｅｔＳＩＲに非収束であり、ＴａｒｇｅｔＳＩＲより小さい。状態Ｂは、ＴａｒｇｅｔＳＩＲに非収束であり、ＴａｒｇｅｔＳＩＲより大きい。状態Ｃは、ＴａｒｇｅｔＳＩＲに収束であり、差分小である。状態Ｄは、ＴａｒｇｅｔＳＩＲに収束であり、差分大である。
【００５２】
［３］ダイバーシチハンドオーバー状態判定部１４について詳しく説明する。
ダイバーシチハンドオーバー状態判定部１４には、パワーコントロール状態判定部１３からの出力であるパワーコントロール状態判定結果が入力される。ダイバーシチハンドオーバー状態判定部１４は、入力されたパワーコントロール状態判定結果に応じた局リスト用ブランチ制御要求を出力する。
【００５３】
図４には、４つの状態Ａ、Ｂ、Ｃ、Ｄに対応した要求（局リスト用ブランチ制御要求）の一例を示してある。
本例では、状態Ａに応じてブランチ追加要求が出力される。状態Ｂに応じてブランチ追加禁止要求が出力される。状態Ｃに応じて通常要求が出力される。状態Ｄに応じてブランチ削除要求が出力される。
【００５４】
それぞれの状態における局リスト用ブランチ制御要求について説明する。
状態Ａである場合には、ブランチ追加要求を行う。状態Ａでは、チャネルＳＩＲがＴａｒｇｅｔＳＩＲに収束しておらず、且つ、ＴａｒｇｅｔＳＩＲと比較して小さいと判断できることから、呼に必要な品質を満足するためには、より多くのセルと接続して、下り電力を供給してもらう必要があるため、ブランチの追加を要求する。
状態Ｂである場合には、ブランチ追加禁止要求を行う。状態Ｂでは、チャネルＳＩＲがＴａｒｇｅｔＳＩＲに収束しておらず、且つ、ＴａｒｇｅｔＳＩＲと比較して大きいと判断できることから、過剰品質になっており、これ以上のセル接続、すなわちブランチ追加を行っても、品質向上にはつながらず、かえって余計なシステム資源を使用することになるため、ブランチの追加を禁止する要求を行う。
【００５５】
状態Ｃである場合には、通常要求を行う。状態Ｃでは、チャネルＳＩＲがＴａｒｇｅｔＳＩＲに収束していて、且つ、ブランチ間の差分が小さいと考えられることから、接続しているセルとの品質バランスが良好な状態であると考えられるため、ブランチを追加すると品質の向上或いは各セルの基地局装置における下り通信チャネルの電力の低減に寄与すると考えられ、また、通信中に検出ができなくなったセルに対しては、ブランチ削除処理を行うことで、システム資源の有効利用を図ることができる状態であると考えられるため、例えば、従来技術において述べたのと同様に、報知チャネル受信部１２におけるセルの検出、未検出に応じたブランチの追加、削除をするための通常要求を行う。また、例えば、単独セルで通信中である場合には、この状態Ｃに属するとしてもよい。
【００５６】
状態Ｄである場合には、ブランチ削除要求を行う。状態Ｄでは、チャネルＳＩＲがＴａｒｇｅｔＳＩＲに収束しているが、ブランチ間の差分が大きいと考えられることから、ブランチＳＩＲが比較して小さい方のブランチが品質に寄与していないと考えられるため、システム資源の節約の観点から、品質への寄与度の小さいブランチの削除の要求を行う。
【００５７】
［４］局リスト管理部１５について詳しく説明する。
局リスト管理部１５は、ダイバーシチハンドオーバー状態判定部１４からの局リスト用ブランチ制御要求や、報知チャネル受信部１２からの受信品質測定結果及び報知情報などに基づいて、局リストを作成して、管理する。
【００５８】
図５、図６、図７、図８、図９、図１０には、それぞれ、局リスト管理部１５により管理される局リストの例を示してある。
本例の局リストでは、横方向の項目として、「順位」、「周波数」、「ＣｏｄｅＮｏ．」、「ＲＳＣＰ」、「Ｅｃ／Ｎｏ」、「パスロス」、「検出」、「ＤＨＯ」があり、また、縦方向には「周辺局」が記述される。なお、「検出」は、検出済みであること（丸印“○”）或いは未検出であること（バツ印“×”）を表し、また、「ＤＨＯ」はＤＨＯの状態（“ＤＨＯ”、“通常”、“ＤＨＯ候補”、“ＤＨＯ禁止”）を表す。
局リストの作成においては、取得された報知情報内の周辺セル情報などから、在圏セルの周辺にどのような局が存在するのかという情報を得る。
【００５９】
図５〜図１０の例では、７つの基地局装置（局＿１〜局＿７）が存在する場合を示してある。
これら７つの局の中で、本例の無線通信端末装置が実際に検出した局のみについて、その品質情報（本例では、ＲＳＣＰ、Ｅｃ／Ｎｏ、パスロス）がリストアップされる。
また、本例では、パスロスが少ないセルから順に順位を付けている。図５の例では、その中で局＿２及び局＿３とダイバーシチハンドオーバー中であり“ＤＨＯ”ブランチとなっており、局＿１がハンドオーバー追加候補であり“ＤＨＯ候補”ブランチとなっている。
【００６０】
局リスト管理部１５は、前記の通り、報知チャネル受信部１２に対して探索指示を行い、局リストの更新を行っていく。局リストの更新を行いつつ、ダイバーシチハンドオーバー状態判定部１４からの局リスト用ブランチ制御要求によって、上位の制御機能部に対して制御要求を行う。上位の制御機能部は、制御用通信データとして本制御要求をネットワーク側へ送信する。
これにより、ブランチの追加や削除などの動作がシステム上で執り行われる。このシステム上で執り行われるブランチの追加や削除に関する動作については、例えば従来技術と同様な動作を用いることができる。
【００６１】
具体例として、ブランチ追加要求を受けたネットワーク側は、追加要求を受けたセルの基地局装置に対して設定動作を行うと同時に、該当する無線通信端末装置に対して追加ブランチの設定を許可する。無線通信端末装置側の上位制御機能部は、各処理部１〜１１、１３、１４に対して追加ブランチの設定を行い、いわゆるダイバーシチハンドオーバーでの通信となる。
また、ブランチ削除要求を受けたネットワーク側は、削除要求を受けたセルの基地局装置に対して切断動作を行うと同時に、該当する無線通信端末装置に対して追加ブランチの削除を許可する。無線通信端末装置側の上位制御機能部は、各処理部１〜１１、１３、１４に対して削除ブランチの切断を行う。
【００６２】
図５〜図１０を参照して、本例の無線通信端末装置により行われる動作の流れの一例を示す。
まず、図５に示される局リストを持つ状態であるとする。
このときに、ダイバーシチハンドオーバー状態判定部１４から局リスト用ブランチ制御要求として、ブランチ削除の制御要求を受けて、図６に示されるような局リストへ更新された状態であると仮定する。
【００６３】
図５から図６への流れでは、局＿１と局＿２を“ＤＨＯ”ブランチとしてダイバーシチハンドオーバー状態で受信していたが、局＿２の品質寄与度が低いと判断されて削除の対象となったことを示している。
この場合、局＿２については、検出はできている状態であるため、局リスト中の「検出」は維持したままであるが、追加しても品質寄与度が低いことから、“ＤＨＯ削除”ブランチとして扱われ、ブランチ削除関連の動作が行われる。そして、この局＿２については、“ＤＨＯ候補”ブランチとして更新されるまでは、ブランチ追加の対象としないように、動作する。このとき、局＿３については、ダイバーシチハンドオーバーを実施することなく、単独セルで通信しているため、“通常”として局リストに挙げられる。
【００６４】
また、ある時点でのリストの更新処理により、図７に示されるように、局＿１と局＿２の順位が入れ替わったとする。図７には、受信レベル等が変化したことで、局＿１と局＿２の順位が入れ替わった例を示してある。
この場合、「受信レベルが変わった理由は、伝搬環境に変化があったためである」と判断し、局＿２の“ＤＨＯ削除”ブランチが“ＤＨＯ候補”ブランチへ再度更新される。この更新を受けて、局リスト管理部１５は、上位制御機能部に対して、局＿１のブランチ追加の制御要求を行う。
【００６５】
図８に示される局リストでは、３局が検出済みであり、そのうちの一つの局と通信中であり、且つ、ダイバーシチハンドオーバー状態判定部１４からの局リスト用ブランチ制御要求として、ブランチ追加禁止要求が来ている場合を示してある。
具体的には、局＿３が“ＤＨＯ禁止”ブランチとなっている。この場合、ダイバーシチハンドオーバー追加候補が他に２局（局＿１及び局＿２）存在しているが、仮にブランチ追加しても品質寄与度が低い状態であると判断できるため、上位制御機能部に対しては制御要求を行わない。
【００６６】
但し、このようなときにおいても、局の順位が入れ替わった場合には、伝搬環境に変化があったと判断して、図９に示されるように、局＿３の“ＤＨＯ禁止”ブランチの設定を一旦“通常”へ遷移させる。その後、例えば、“ＤＨＯ候補”ブランチである局＿２や局＿１に対するブランチ追加要求を行うことで、ブランチ追加関連動作が行われ、図１０に示されるように、局＿３は局＿２や局＿１と共に“ＤＨＯ”ブランチとなる。
【００６７】
［５］以上に示した構成や動作及び効果について説明する。
以上のように、本例では、２つ以上のセルと複数の通信チャネルを同時に設定し、時間的にオーバーラップして送受信を行う、いわゆるダイバーシチハンドオーバーを行う直接拡散符号分割多元接続（ＤＳ−ＣＤＭＡ）方式の移動通信システムの無線通信端末装置において、送信データを符号化する符号化部８と、前記符号化したデータと電力制御コマンドと同期検波用の参照信号などを時間多重化するフレーム生成部９と、時間多重化データを変調する変調部１０と、変調信号を拡散する拡散部１１と、受信信号を逆拡散する通信チャネル逆拡散部１と、逆拡散した信号の同期検波等の復調をする検波部２と、逆拡散した信号のパス毎の受信品質を測定するフィンガＳＩＲ測定部４と、当該無線通信端末装置における全受信パスの中から同一のセルからのパスを選択して合成し、合成後の受信品質をブランチ毎の受信品質として測定するブランチＳＩＲ測定部５と、当該無線通信端末装置における全受信パスの合成後の受信品質を通信チャネル受信品質として測定するチャネルＳＩＲ測定部６と、基準品質（ＴａｒｇｅｔＳＩＲ）と受信品質との差を比較して、その比較結果に応じて、基地局装置に対して電力制御コマンドを発行する挿入ＴＰＣ生成部７と、基準品質と通信チャネル受信品質及びブランチ毎の受信品質の差分に基づいてパワーコントロールの状態を判定するパワーコントロール状態判定部１３と、パワーコントロール状態判定結果から、後述する局リスト管理部１５に対して局リスト用ブランチ制御要求を行うダイバーシチハンドオーバー状態判定部１４と、復調信号の判定及び復号化を行って受信データを取得する判定／復号化部３と、外部からの指示により、現在通信中のセル及び周辺のセルの報知チャネルの探索復調処理を行う報知チャネル探索復調部２１と、探索したセルの報知チャネルの受信品質を測定する報知チャネル品質測定部２２と、探索したセルの報知チャネルの報知情報を取得する報知情報取得部２３と、報知チャネルの受信品質、報知情報、及びダイバーシチハンドオーバー状態判定の結果である局リスト用ブランチ制御要求などに基づいて局リストを作成して管理する局リスト管理部１５と、を備えた。
【００６８】
また、前記したパワーコントロール状態判定部１３は、基準品質と通信チャネル受信品質との差を複数の段階に分けた受信品質窓を設け、前記窓に対して同一窓内で同一の値となる差分値を定義し、その差分値を平均化した結果から受信品質の基準品質に対する収束度を判定し、また、ブランチ毎の受信品質の差分を求めてその大小を判定する。
【００６９】
また、前記したダイバーシチハンドオーバー状態判定部１４は、ダイバーシチハンドオーバー中に、前記したパワーコントロール状態判定部１３における判定結果に基づいて、局リスト管理部１５に対して局リスト用ブランチ制御要求を行う。具体例として、基準品質に対して通信チャネル受信品質が収束している状態で且つそれぞれのブランチ毎の受信品質の差分が大きい場合には、ブランチ毎の受信品質がより小さい方のブランチの削除要求を前記した局リスト管理部１５に対して行う。また、基準品質に対して通信チャネル受信品質が収束していない状態で且つ基準品質よりも十分に通信チャネル受信品質が良い場合には、ブランチの追加を禁止する要求を前記した局リスト管理部１５に対して行う。
【００７０】
また、前記した局リスト管理部１５は、前記したダイバーシチハンドオーバー状態判定部１４における局リスト用ブランチ制御要求と、報知チャネルの受信品質、報知情報、などから局リストを作成して管理する。具体例として、前記した局リスト用ブランチ削除要求を受けた場合には、これを受けて、局リスト順位の変化があるまで、該当するブランチを追加候補から削除する。また、前記した局リスト用ブランチ追加禁止要求を受けた場合には、これを受けて、ブランチ追加禁止状態を記憶し、上位制御機能に対して局リスト順位の変化があるまで全てのブランチの追加要求を行わない。
【００７１】
従って、本例の無線通信端末装置では、例えば従来の技術における無線通信端末装置の欠点である、実質の品質に寄与しないようなダイバーシチハンドオーバーのための追加ブランチ要求頻度を低減することができ、基地局装置の物理チャネル資源やシステムの無線資源を効率的に使用することができる。
【００７２】
なお、本例の無線通信端末装置では、フィンガＳＩＲ測定部４の機能によりパス品質検出手段が構成されており、ブランチＳＩＲ測定部５の機能によりブランチ品質検出手段が構成されており、チャネルＳＩＲ測定部６の機能により通信チャネル品質検出手段が構成されており、パワーコントロール状態判定部１３の機能により状態判定手段が構成されており、ダイバーシチハンドオーバー状態判定部１４の機能により制御要求手段が構成されており、報知チャネル探索復調部２１の機能により探索手段が構成されており、報知チャネル品質測定部２２の機能によりゾーン品質検出手段が構成されており、報知情報取得部２３の機能により報知情報取得手段が構成されており、局リスト管理部１５の機能により局リスト管理手段が構成されている。
【００７３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００７４】
【図１】本発明の一実施例に係る無線通信端末装置の構成例を示す図である。
【図２】パワーコントロール状態判定部での受信品質窓の一例を模式的に示す図である。
【図３】パワーコントロール状態判定部における状態定義の一例を示す図である。
【図４】ダイバーシチハンドオーバー状態判定部における要求の一例を示す図である。
【図５】局リストの一例を示す図である。
【図６】局リストの一例を示す図である。
【図７】局リストの一例を示す図である。
【図８】局リストの一例を示す図である。
【図９】局リストの一例を示す図である。
【図１０】局リストの一例を示す図である。
【図１１】無線通信端末装置の構成例を示す図である。
【符号の説明】
【００７５】
１、１０１・・通信チャネル逆拡散部、  ２、１０２・・検波部、  ３、１０３・・判定／復号化部、  ４・・フィンガＳＩＲ測定部、  ５・・ブランチＳＩＲ測定部、  ６、１０４・・チャネルＳＩＲ測定部、  ７、１０５・・挿入ＴＰＣ生成部、  ８、１０６・・符号化部、  ９、１０７・・フレーム生成部、  １０、１０８・・変調部、  １１、１０９・・拡散部、  １２・・報知チャネル受信部、  １３・・パワーコントロール状態判定部、  １４・・ダイバーシチハンドオーバー状態判定部、  １５・・局リスト管理部、  ２１、１１０・・報知チャネル探索復調部、  ２２、１１１・・報知チャネル品質測定部、  ２３、１１２・・報知情報取得部、
【図１】
2009010812.tif 000003
【図２】
2009010812.tif 000004
【図３】
2009010812.tif 000005
【図４】
2009010812.tif 000006
【図５】
2009010812.tif 000007
【図６】
2009010812.tif 000008
【図７】
2009010812.tif 000009
【図８】
2009010812.tif 000010
【図９】
2009010812.tif 000011
【図１０】
2009010812.tif 000012
【図１１】
2009010812.tif 000013